(57)【要約】【課題】  軒樋の形状を問わずに軒樋に目盛帯の先端を強固に取付けることができ、軒樋配設施工における寸法測定作業を一人の施工者にて容易に行い得るようにした巻尺を提供する。【解決手段】  目盛帯６の先端に一体的に固定具１を固定する。被測定物Ｂの端部にある板状部位が挿入される挿入溝３を有すると共に挿入溝３の一方の溝壁を貫通して溝内に突没自在にされたボルト４を有し、ボルト４の先端と挿入溝３の他方の溝壁との間で挿入溝３に挿入した被測定物Ｂを表裏に挟持可能にしたクランプ部２と、挿入溝３に挿入した被測定物Ｂの端部が当接される挿入溝３の溝底で構成した当接部５とを上記固定具１に備えた。【選択図】      図１
2005134123.tif 000002
【特許請求の範囲】
【請求項１】
被測定物の端部にある板状部位が挿入される挿入溝を有すると共に挿入溝の一方の溝壁を貫通して溝内に突没自在にされたボルトを有し、ボルトの先端と挿入溝の他方の溝壁との間で挿入溝に挿入した被測定物を表裏に挟持可能にしたクランプ部と、挿入溝に挿入した被測定物の端部が当接される挿入溝の溝底で構成した当接部とを固定具に備え、この固定具を目盛帯の先端に一体的に固定したことを特徴とする固定具付き巻尺。
【請求項２】
目盛帯の目盛りの０点と当接部との位置を一致させたことを特徴とする請求項１記載の固定具付き巻尺。
【請求項３】
巻尺の通常使用時において被測定物に当接させる当り部を固定具に備え、この当り部の配設位置を目盛帯の長さ方向における当接部と同位置にしたことを特徴とする請求項１記載の固定具付き巻尺。
【発明の詳細な説明】
【技術分野】
【０００１】
本発明は、軒樋配設施工に適用できる固定具付き巻尺に関するものである。
【背景技術】
【０００２】
従来から、軒樋配設施工では軒樋と軒樋との間を測定するなどの寸法測定作業が頻繁に行われる。たとえば屋根の軒先に沿って軒樋を配設するには、図５のように、軒樋製造工場で一定長さに製造された軒樋３０を屋根の軒先３２に沿わせて順に連設していくのであるが、屋根の軒樋方向の長さ寸法は必ずしも一定長さの軒樋３０の倍数ではないため、順に連設した最後の軒樋３０は適宜長さで切断されるものであり、この切断する軒樋３０の長さ寸法は施工現場での寸法測定により決定される。この寸法測定作業は、具体的には、脚立３３などに登った施工者Ｄが軒先３２に既に取り付けられた軒樋３０の長さ方向の端部に巻尺Ｃの目盛帯６の先端を合わせて保持し、他方、脚立３３などに登った施工者Ｅが所定位置の目盛帯６の目盛りを読むことで行われる。このように軒樋配設施工での寸法測定作業は、通常、巻尺Ｃの目盛帯６の先端を押さえる施工者Ｄと、巻尺Ｃの目盛帯６の目盛りを読む施工者Ｅとの２人の施工者を同時に必要とする煩雑な作業であった。したがって、この軒樋配設施工での寸法測定作業は、必要とされる施工者数を減らして作業の容易化が図られることが切望されていた。
【０００３】
ところで、特許文献１のように巻尺の目盛帯の先端に吸盤を付設したり、特許文献２のように巻尺の目盛帯の先端に永久磁石を付設したりして、巻尺Ｃの目盛帯６の先端を被測定物Ｂに取付けようとするものはあったが、被測定物Ｂとしての軒樋３０は樹脂成形品で薄板壁３０ａで主体が構成されるのが一般的であり、また丸型軒樋のように曲面状の壁面を有するものもあり、上記の吸盤や永久磁石では巻尺Ｃの目盛帯６の先端を軒樋３０に強固に取り付けできないことが多かった。殊に、上記軒樋配設施工での寸法測定作業にあっては、巻尺Ｃの目盛り７を読む施工者Ｅは目盛帯６がたるまないように目盛帯６を引張るものであるが、上述したように施工者Ｅの足場は悪く、そのため目盛帯６を予期しない大きい力で引張ってしまうこともある。仮に上記巻尺Ｃの目盛帯６の先端が軒樋３０に取り付けられたとしても、この予期しない大きな引張り力に負けて軒樋３０から目盛帯６の先端が外れてしまうと、再び目盛帯６の先端を軒樋３０に取付け直さねはならず、寸法測定作業が中断してしまうのであった。つまり、この軒樋配設施工での寸法測定作業にあっては、目盛帯６の先端の軒樋３０への大きな取付強度が必要とされるのである。
【０００４】
なお、特許文献３や特許文献４のように巻尺の目盛帯の先端を被測定物Ｂに強固に取付けるため、巻尺の目盛帯の先端にピンを設けたものもあったが、これを軒樋配設施工に用いると軒樋にピンの打入による孔を開けることとなって軒樋の水密性を損なうこととなるから、このものも軒樋配設施工の寸法測定作業には用いることができない。
【特許文献１】実開昭６０−５０１号公報
【特許文献２】実開平５−３６３０２号公報
【特許文献３】実開平６−２５７０２号公報
【特許文献４】登録実用新案第３０６２３９７号公報
【発明の開示】
【発明が解決しようとする課題】
【０００５】
本発明は上記の従来の問題点に鑑みて発明したものであって、軒樋の形状を問わずに軒樋に目盛帯の先端を強固に取付けることができ、軒樋配設施工における寸法測定作業を一人の施工者にて容易に行い得るようにした巻尺を提供することを課題とするものである。
【課題を解決するための手段】
【０００６】
上記課題を解決するために本発明の請求項１の固定具付き巻尺は、被測定物Ｂの端部にある板状部位が挿入される挿入溝３を有すると共に挿入溝３の一方の溝壁を貫通して溝内に突没自在にされたボルト４を有し、ボルト４の先端と挿入溝３の他方の溝壁との間で挿入溝３に挿入した被測定物Ｂを表裏に挟持可能にしたクランプ部２と、挿入溝３に挿入した被測定物Ｂの端部が当接される挿入溝３の溝底で構成した当接部５とを固定具１に備え、この固定具１を目盛帯６の先端に一体的に固定したことを特徴とする。
【０００７】
これによると、目盛帯６の先端に一体的に固定した固定具１に、被測定物Ｂの端部にある板状部位が挿入される挿入溝３を有すると共に挿入溝３の一方の溝壁を貫通して溝内に突没自在にされたボルト４を有し、ボルト４の先端と挿入溝３の他方の溝壁との間で挿入溝３に挿入した被測定物Ｂを表裏に挟持可能にしたクランプ部２を備えたので、このクランプ部２によって板状の被測定物Ｂの厚みにかかわらず被測定物Ｂの端部に目盛帯６の先端を強固に取付けることができ、施工者が被測定物Ｂの端部に目盛帯６の先端を保持固定しないでも被測定物Ｂの端部からの寸法測定作業を行うことができると共に、目盛帯６をたわませないように施工者Ｅが目盛帯６を大きな力で引張っても被測定物Ｂの端部からの目盛帯６の先端の外れが防止できるのであり、また、固定具１にはクランプ部２に挟んだ被測定物Ｂの端部を当接させる当接部５を備えているから、被測定物Ｂの端部を当接部５に当接させて目盛帯６の先端と被測定物Ｂの端部との距離を一定に保つようにでき、被測定物Ｂの端部からの寸法測定の正確性を確保できるのである。
【０００８】
また、請求項２の固定具付き巻尺は、請求項１において、目盛帯６の目盛り７の０点と当接部５との位置を一致させたことを特徴とする。これによると、当接部５に当接させて被測定物Ｂの端部に固定具１を取り付けた状態では、被測定物Ｂの端部を目盛帯６の目盛り７の０点と一致させることができ、軒樋３０の長手方向の端部からの寸法測定作業の利便性を向上できる。
【０００９】
また、請求項３の固定具付き巻尺は、請求項１において、巻尺の通常使用時において被測定物Ｂに当接させる当り部８を固定具１に備え、この当り部８の配設位置を目盛帯６の長さ方向における当接部５と同位置にしたことを特徴とする。これによると、クランプ部２によって被測定物Ｂに目盛帯６の先端を取付けて行う寸法測定も、また被測定物Ｂに目盛帯６の先端を当接させて行う通常の寸法測定も一の固定具付き巻尺Ａで行うことができ、固定具付き巻尺Ａの汎用性を向上させることができる。
【発明の効果】
【００１０】
本発明は、目盛帯の先端に一体的に固定した固定具に、被測定物の端部にある板状部位が挿入される挿入溝を有すると共に挿入溝の一方の溝壁を貫通して溝内に突没自在にされたボルトを有し、ボルトの先端と挿入溝の他方の溝壁との間で挿入溝に挿入した被測定物を表裏に挟持可能にしたクランプ部を備えたので、このクランプ部によって板状の被測定物の厚みにかかわらず被測定物の端部に目盛帯の先端を強固に取付けることができ、施工者が被測定物の端部に目盛帯の先端を保持固定しないでも被測定物の端部からの寸法測定作業を行うことができる。また、固定具にはクランプ部に挟んだ被測定物の端部を当接させる当接部を備えているから、被測定物の端部を当接部に当接させて目盛帯の先端と被測定物の端部との距離を一定に保つようにでき、被測定物の端部からの寸法測定の正確性を確保できるのである。ここで、端部に板状部位のある被測定物としては薄板壁で主体を構成した軒樋があり、すなわち軒樋の長手方向の端部からの寸法測定作業に本発明の固定具付き巻尺を用いた場合には、寸法測定の正確性を確保しつつも、丸型や角型などの軒樋の形状や軒樋を構成する薄板壁の厚みにかかわらず軒樋の長手方向の端部に固定具を強固に取り付けることができ、足場の悪い施工者が予期せぬ大きな力で目盛帯を引張ったとしても、軒樋の長手方向の端部に取り付けた固定具が外れることはなくて寸法測定作業が中断されることを防止でき、つまり本発明の固定具付き巻尺は特に軒樋配設施工での軒樋の長手方向の端部からの寸法測定作業に適用できて作業の容易化を図ることができるのである。
【発明を実施するための最良の形態】
【００１１】
本例の固定具付き巻尺Ａは、目盛帯６の先端に固定具１を一体に固定し、この固定具１に、被測定物Ｂの端部にある板状部位の表裏を強固に挟持可能にするクランプ部２や、クランプ部２に挟んだ被測定物Ｂの端部を当接させる当接部５を設けたことで、薄板壁で主体が形成される軒樋３０などの被測定物Ｂの端部に目盛帯６の先端を一定の状態で且つ強固に取付けることを可能にし、従来二人の施工者Ｄ，Ｅが必要とされた軒樋３０の長手方向の端部からの寸法測定作業を、寸法測定の正確性を維持しながらも一人の施工者Ｅで行い得るようにし、且つ、足場の悪い施工者Ｅによる予期せぬ力での目盛帯６の引張りによっても目盛帯６の先端を軒樋３０の端部から外れることなく作業の中断を極力発生させないようにしたものであり、つまり、軒樋配設施工での軒樋３０の長手方向の端部からの寸法測定作業に適用される巻尺である。以下、詳述する。
【００１２】
図１〜４に示す本例の固定具付き巻尺Ａは、目盛り７が付された目盛帯６の先端に固定具１を一体に固定している。この固定具１は、図２のように、主体を構成する板状の固定具本体１０を有し、固定具本体１０の基端部に目盛帯６の先端を固定する固定部９を形成し、固定具本体１０の板面から略直交するように突出し次いで固定具本体１０の先端方向に屈曲した略Ｌ字板状の本体並設部１１を形成し、固定具本体１０に平行に配設された本体並設部１１の屈曲部分よりも先端部位に挿通孔１２を穿孔してこの挿通孔１２にボルト４を挿通し、本体並設部１１に対向しない固定具本体１０の板面における本体並設部１１の突設部位に対応した位置から本体並設部１１の突出方向と反対方向に突片部１３を突設して構成されている。なお、便宜上、本体並設部１１の屈曲部分よりも突出先端側の部位を本体並設部１１の先端域１１ａと称し、本体並設部１１の屈曲部分よりも突出基端側の部位を本体並設部１１の基端域１１ｂと称し、対向する固定具本体１０及び本体並設部１１の対向面と反対側の板面を外面と称する。
【００１３】
ここで、本体並設部１１と固定具本体１０とで囲まれる溝状部位によって、固定具本体１０の先端方向及び両幅方向に開口する挿入溝３が構成されている。また、挿通孔１２の孔内面には雌ネジが刻設されており、この雌ネジに螺合させて挿通孔１２に挿通したボルト４はその先端を挿入溝３に突没自在に螺進するようにされている。なお、詳しくは、この挿通孔１２は、本体並設部１１の先端域１１ａに貫通する貫通孔を穿孔し、本体並設部１１の先端域１１ａの外面に上記貫通孔の外面開口に連通するようにナット材１７を固着したことで形成されている。そして、挿入溝３に挿入した板状の被測定物Ｂは、挿通孔１２に挿通させたボルト４を固定具本体１０側に螺進させることで、本体並設部１１の先端域１１ａに対向する固定具本体１０の対向面とボルト４の先端とによって挟持（クランプ）される。つまり、挿入溝３及びボルト４によって上記クランプ部２が構成されている。なお、このクランプ部２はボルト４の先端が挿入溝３に突没自在にされているから、挿入溝３に挿入された被測定物Ｂに対してボルト４は締め付け自在にされており、つまりクランプ部２は、厚みの異なる被測定物Ｂの板状部位にも容易に対応できると共に、被測定物Ｂの挟持強さを自在に変更できる構造とされている。また、挿入溝３に挿入した被測定物Ｂの端部は、挿入溝３の溝底となる本体並設部１１の基端域１１ｂに当接するのであり、この本体並設部１１の基端域１１ｂによって上記当接部５が構成されている。また、突片部１３は巻尺の通常使用時（クランプ部２の不使用時）において被測定物Ｂに当接させる当り部８を構成している。なお、この固定具１を固定部９を介して目盛帯６の先端に固定させたときには、固定具１の先端―基端方向が目盛帯６の長さ方向と同方向になると共に、目盛帯６の目盛り７の０点が当接部５及び当り部８に一致するようにされるのである。
【００１４】
ところで、上記本例の固定具１は、一枚の板材を適宜加工することで形成されている。つまり、本体並設部１１は、固定具本体１０を構成する板材の先端側から基端方向に向けて２条の直線状の切り込み１４を入れ、この切り込み１４で挟まれた板材の部位を適宜折り曲げ加工することで形成される。詳しくは、切り込み１４で挟まれた板材の部位をこの切り込み１４の最深部で固定具本体１０の板面に対して略直角に折り曲げることで、本体並設部１１の基端域１１ｂが形成されるのであり、また、本体並設部１１の基端域１１ｂの突出先端を固定具本体１０の先端側に向けて折り曲げることで、本体並設部１１の先端域１１ａが形成されるのである。また、固定具本体１０の板面から略直角に突設する突片部１３も、本体並設部１１同様、固定具本体１０を構成する板材を切り起こして形成される。また、突片部１３は固定具本体１０の先端―基端方向において本体並設部１１の基端域１１ｂと同位置に設けられているが、詳しくは、固定具本体１０を構成する板材にコ字状の切り込み１５を入れ、この切り込み１５の始端及び終端を本体並設部１１の基端域１１ｂの根元部分に位置させ、この切り込み１５の始端及び終端をつなぐ線でコ字状の切り込み１５にて囲まれた板材の部位を本体並設部１１とは反対方向に折り曲げることで、突片部１３が形成されるのである。また、固定部９は、板材の基端部を加工して形成されるのであり、具体的には、目盛帯６の先端に添設させるように目盛帯６の表面形状と同様の表面形状に施され、固定具１を目盛帯６の先端に固定するハトメやネジなどの固着具を挿入させる貫通孔１６が穿設されるのである。本例では固定部９は平面状にされているが、たとえば目盛帯６が円弧状の表面形状を有するものなれば、固定部９の表面形状は円弧状に形成される。このように本例の固定具１は、一枚の板材を適宜加工することで各部（クランプ部２、当接部５、当り部８及び固定部９）の形成がなされており、固定具１の製造の容易化が図られているのである。
【００１５】
上記本例の固定具付き巻尺Ａによると、目盛帯６の先端に固定した固定具１のクランプ部２によって被測定物Ｂの端部にある板状部位を挟持することで、被測定物Ｂの端部に目盛帯６の先端を取り付けることができるのである。ここで、端部に板状部位のある被測定物Ｂにはたとえば薄板壁３０ａで主体が形成される軒樋３０が挙げられるのであり、図１，３には本例の固定具付き巻尺Ａを用いて行った軒樋３０の長手方向の端部からの寸法測定作業を示している。この場合、目盛帯６の先端に固定した固定具１１のクランプ部２によって、軒樋３０の長手方向の端部にある任意の薄板壁３０ａを挟持することで、目盛帯６の先端を軒樋３０の長手方向の端部に取付けることが可能にされている。つまり、本例の固定具付き巻尺Ａを用いた軒樋３０の長手方向の端部からの寸法測定作業にあっては、従来必要とされた巻尺Ｂの目盛帯６６の先端を軒樋３０の長手方向の端部に保持固定させる施工者Ｄが不要となり、目盛り７を読む一人の施工者Ｅのみで行わせることができることから、作業の容易化が図られているのである。なお、角型や丸型など形状の異なる軒樋３０でもその主体は一般的に薄板壁３０ａで構成されているので、被測定物Ｂの板状部位を挟み付けるクランプ部２によると、角型や丸型の軒樋３０の形状を問わずに、軒樋３０の長手方向の端部に目盛帯６の先端を取付けることができるのは言うまでもない。
【００１６】
また、このとき、クランプ部２を構成するボルト４の締付け具合によると、軒樋３０の薄板壁３０ａの厚みにも容易に対応でき、且つ、軒樋３０の長手方向の端部を挟持する挟持強さも変更できるのであり、つまり必要に応じてクランプ部２で軒樋３０の長手方向の端部を強固に挟持し、軒樋３０の長手方向の端部に固定具１を強固に取付けることができる。背景技術でも述べたように、軒樋配設施工での寸法測定作業では目盛帯６がたるまないように目盛帯６を引張ることが行われるが、足場の悪さから施工者Ｅは予期しない大きい力で目盛帯６を引張ってしまう恐れがある。しかしながら、このクランプ部２によると軒樋３０の長手方向の端部に固定具１を介して目盛帯６の先端を強固に取付けることができることから、予期しない大きい力で目盛帯６が引張られたとしても、軒樋３０の長手方向の端部から目盛帯６の先端（固定具１）が外れてしまう恐れを低減させることができ、軒樋配設施工の寸法測定作業が中断してしまうことを防止することも図られているのである。
【００１７】
また、上記固定具１には目盛り７の０点に一致させた当接部５を備えているから、クランプ部２の挿入溝３に挿入させた軒樋３０の長手方向の端部を当接部５に当接させるだけで、軒樋３０の長手方向の端部が目盛り７の０点に位置するようになり、軒樋３０の長手方向の端部からの寸法測定作業の利便性の向上も図られている。なお、当接部５が目盛り７の０点に一致しない場合にも、目盛帯６の先端と軒樋３０の長手方向の端部との距離を一定に保つことができることから、目盛り７を読むときには一定値である当接部５と目盛り７の０点とのズレのみを考慮に入れればよく、少なくとも寸法測定の正確性は確保される。
【００１８】
また、本例の固定具付き巻尺Ａには、巻尺の通常使用時において目盛帯６の先端を被測定物Ｂに当接させることのできる当り部８が設けられている。この当り部８は固定具本体１０に対して本体並設部１１の基端域１１ｂと反対側に突出された突片部１３がこれを構成しているから、つまり当り部８は、クランプ部２の挿入溝３に挿入した被測定物Ｂの端部が当らない位置で、且つ、本体並設部１１の基端域１１ｂが構成する当接部５と目盛帯６の長さ方向で同位置に位置しており、当接部５と同様に目盛り７の０点に一致する位置に設けられているのである。この当り部８によると図４のようにたとえば桟材３１などの端面に当接させて行う通常の寸法測定（巻尺の通常使用）も可能にしているのである。つまり、本例の固定具付き巻尺Ａは、図１，３のようにクランプ部２によって軒樋３０などの被測定物Ｂに目盛帯６の先端を取付けて行う寸法測定も、図４のように桟材３１などの被測定物Ｂに目盛帯６の先端を当接させて行う通常の寸法測定（巻尺の通常使用）も可能とされており、固定具付き巻尺Ａの汎用性が向上されているのである。
【図面の簡単な説明】
【００１９】
【図１】本発明の実施の形態の例の固定具付き巻尺の使用状態を示す斜視図である。
【図２】同上の固定具であり、（ａ）は正面図であり、（ｂ）は上面図であり、（ｃ）は側面図である。
【図３】同上の軒樋の長手方向の端部からの寸法測定作業を説明する斜視図である。
【図４】同上の固定具付き巻尺の他の使用状態を示す斜視図である。
【図５】従来の軒樋の長手方向の端部からの寸法測定作業を説明する斜視図である。
【符号の説明】
【００２０】
１  固定具
２  クランプ部
３  挿入溝
４  ボルト
５  当接部
６  目盛帯
７  目盛り
８  当り部
９  固定部
Ａ  固定具付き巻尺
Ｂ  被測定物
【図１】
2005134123.tif 000003
【図２】
2005134123.tif 000004
【図３】
2005134123.tif 000005
【図４】
2005134123.tif 000006
【図５】
2005134123.tif 000007